(57)【要約】【課題】  ヒバやヒノキ、スギ等の天然木材の持つ優れた樹木成分である芳香や薬効を放散させ、開封するまで樹木成分をそのままの形で閉じ込めることができ、更に浴用剤や消臭剤等にも活用できるよう構成させた芳香放散具を提供すること。【解決手段】  天然木材が持つ自然の優れた健康特性を有効活用できるように、多数の通気孔４、４´を有する芳香放散具１の容器３の中に、通気性袋体５に入れた木材芳香体２を収容し、容器３の外面をプラスチックフィルムシート６で閉塞包装する構成としたものである。【選択図】図１
2013226360.tif 000002
【特許請求の範囲】
【請求項１】
多数の通気孔を形成させた各種形状の容器内に、天然木材を破砕或いは切削して得られる芳香体を収容し、木材から放散される芳香や薬効成分を有効活用できるよう構成させたことを特徴とする芳香放散具。
【請求項２】
上記容器の外面側に、芳香体から放散される樹木成分を開封時まで逃さないよう、プラスチックフィルムシートで閉塞包装し、通気を封ずるよう構成させたことを特徴とする請求項１記載の芳香放散具。
【請求項３】
上記容器の内側から、芳香体の樹木成分を開封時まで逃さないよう、芳香体自体をプラスチックフィルムシートで閉塞包装し、容器内に収容させた構成とすることを特徴とする請求項１記載の芳香放散具。
【請求項４】
上記容器内に収容する天然木材芳香体を、１乃至数個の通気性袋体に収容させたことを特徴とする請求項１、２、３記載の芳香放散具。
【発明の詳細な説明】
【技術分野】
【０００１】  本発明は、多数の通気孔を形成させた各種形状の容器からなり、ヒバやヒノキ、杉等の天然木材を破砕或いは切削して得られる芳香体を収容し、開封するまでの間、芳香や薬効を容器内に閉じ込めるプスチックフイルムシートで閉塞包装するよう構成させた芳香放散具に関するものである。
【背景技術】
【０００２】  従来の方法は、天然木材から抽出されたヒノキチオールの様な樹木成分の芳香を放散させてり、防腐剤・育毛剤・化粧品等に様々形成させたものや、木材片やチップ・オガ屑・カンナ屑等を袋体に収容したものが一般に広く用いられている。
【先行技術文献】
【特許文献】
【０００３】
【特許文献１】２００１−２２４６７４号広報
【特許文献２】２００１−３１０６３号広報
【特許文献３】２００２−２３８９９２号広報
【発明の概要】
【発明が解決しようとする課題】
【０００４】  そこで本発明は、天然木材の持つ自然の優れた樹木成分の芳香・薬効に着目したもので、しかも、容器内の成分や芳香や薬効・効能等が本具を開封されるまで保つよう、プラスチックフィルムシートで閉塞包装するもので、開封後に樹木成分の芳香や薬効が少なくなった場合でも、本芳香体を内袋で小分けして収容することで、本容器から取り出して浴用剤や消臭剤等としても広く活用できる芳香放散具を提供しようとするものである。
【課題を解決するための手段】
【０００５】  請求項１に係る発明は、上記の目的を達成するための本発明の芳香放散具は、ヒバやヒノキ、スギ等の天然木材を破砕或いは切削して得られる芳香体を、多数の通気孔を形成させた容器内に収容して、芳香体から放散される樹木成分を有効活用できるよう構成させたことを特徴とする。【０００６】  上記容器は、木材の薄板や段ボール或いは厚紙等の生分解性の材質が好ましく、特に木質薄板は芳香体と同じ樹種が有効であるが、プラスチックでも構わない。【０００７】    上記芳香体は、木材を破砕・切削或いはオガ屑・カンナ屑のように、天然木材を使用したものであれば形状や状態には拘らない。【０００８】  請求項２に係る発明は、上記容器の外面側に、容器内に収容される芳香体の樹木成分を逃がさないよう、プラスチックフィルムシートで閉塞包装をする構成を特徴とする。【０００９】  請求項３に係る発明は、上記容器内に収容される芳香体自体を、プラスチックフィルムシートで閉塞包装して、容器の中に収容させる構成を特徴とする。【００１０】  請求項４に係る発明は、上記容器内に収容される芳香体を、通気性を有する内袋に入れて、１乃至数個に小分けさせて収容する構成を特徴とする。
【発明の効果】
【００１１】  以上説明したように、天然木材が持つ芳香や薬効・効能を効果的に活用でき、プラスチックフィルムシートで閉塞包装することで、開封までの期間樹木成分を逃がさず、また開封してから時間の経過と共に芳香放散具としての効用が少なくなっても、小分けされた芳香体を靴や家具等の消臭・防臭剤や入浴剤等としても有効活用できるという効果があり、特に青森ヒバに多く含有されるヒノキチオールのような樹木成分を有効活用することが可能となれば、年輪の多さで増大すると言われるヒノキチオール等の薬効成分の活用で、森林に残された成長が１００年とも２００年とも言われる貴重な森林の切り株や、製材残材等の未利用森林資源の活用や、ヒバ山等の森林再生、林業や林産業の活性化にも貢献できると考える。
【図面の簡単な説明】
【００１２】
【図１】本発明に係る芳香放散具の斜視図。
【図２】本発明に係る芳香放散具の正面図。
【図３】本発明に係る芳香放散具の側面図。
【図４】本発明に係る容器例の展開図。
【発明を実施するための形態】
【００１３】  本発明の実施例の形態を図面に基づいて説明すると、図１は箱型の本芳香放散具１を示す斜視図で、図２は正面図、図３は側面図、図４は本芳香放散具１の実施例を示す厚紙箱製容器例１の展開図である。１は本芳香放散具、２は収容される木質芳香体で、３は容器本体の実施例を示す厚紙箱であり、通気性内袋５の中に芳香体が収容される。４は容器３に設けられた通気孔であり、４´は収容された芳香体の形状や姿を見せるための通気孔を兼ねる窓で、この４、４´を通じて樹木成分を放散させる。５は容器３の中に収容する芳香体２を小分けするための通気性袋で、６は容器本体３の外面から閉塞包装するためのプラスチックフィルムシートである。
【実施例１】
【００１４】  第１の発明は、青森ヒバ（ヒノキアスナロ）材の中で、ヒノキチオールが辺材部に比べ心材部に多く含まれているという研究結果もあり、本芳香放散具の実施例として、青森ヒバの切り株、製材・建築端材等の心材部に近い木材を破砕或いは切削した芳香体２を、多数の通気孔４、４´を形成させた厚紙製容器３内に収容させた構成とする芳香放散具である。
【実施例２】
【００１５】  第２の発明は、実施例１の容器３の外面を、プラスチックフィルムシート６で閉塞包装し、この包装が解かれるまでの間は収容された芳香体２の樹木成分が容器３外に放散しないよう構成させたものである。
【実施例３】
【００１６】  第３の発明は、収容される芳香体２の外面を、プラスチックフィルシート６´で閉塞包装してから容器３に収容する構成で、実施例２同様の効果が期待できる。
【実施例４】
【００１７】  容器紙箱３の中に収容される芳香体２を、通気性の網布袋或いは不織布袋５で小分け収容するもので、芳香の放散が少なくなった場合も、廃棄する前に更に有効活用させるもので、靴や家具の消臭剤や浴用剤等としても使い易く利用出来るよう構成させたものである。
【産業上の利用可能性】
【００１８】  ヒバやヒノキ、スギ等、特に青森ヒバ（ヒノキアスナロ）には、その放散される成分がシックハウス症候群等の除去や生活害虫であるダニの殺虫或いは忌避効果や、細菌、真菌（カビの一種）、担子菌等の雑菌に対する抗菌作用が期待されるほか、樹木の放つフィトンチッドやテルペンには精神を安定させ、イライラを抑えリラックスした状態を作り出すこと（森林浴効果）も明らかにされており、院内感染の原因物質メチシリン耐性黄色ブドウ球菌（ＭＲＳＡ）や病原性大腸菌Ｏ１５７等への抗菌作用が認められていることや、防臭用、消臭用等としても本芳香放散具が木質材を有効利用することで、手軽に貴重な天然木材資源の活用に貢献できる。
【符号の説明】
【００１９】１  芳香放散具
２  木質芳香体
３  芳香放散具の容器
４  容器に設けられた通気孔
４´容器に設けられた通気口を兼ねる窓
５  チップを小分け収容するための通気性内袋
６  容器外面から閉塞包装するプラスチックフィルムシート
７  展開図の中での糊代
【図１】
2013226360.tif 000003
【図２】
2013226360.tif 000004
【図３】
2013226360.tif 000005
【図４】
2013226360.tif 000006